(57)【要約】【課題】低電力モードで非正常な映像が表示されることを防止する。【解決手段】複数のゲートライン、複数の高電位電圧ラインを含み、少なくとも複数のゲートライン、複数の高電位電圧ラインによりゲート信号と高電位電圧の伝達を受ける複数の画素を含む表示パネル、高電位電圧ラインと連結され、ノーマルモードでイネーブルされて高電位電圧ラインに第１高電位電圧を供給し、低電力モードでディスエーブルされる電源部、及び低電力モードに対応して電源部をディスエーブルされるように制御し、第２高電位電圧を高電位電圧ラインに供給してノーマルモードから低電力モードに転換するとき、高電位電圧ラインに供給される第１高電位電圧を第２高電位電圧に転換する転換時間の長さを調節することにより、高電位電圧ラインに印加される電圧レベルが第１高電位電圧の電圧レベルから第２高電位電圧の電圧レベルに達する時間を変更するパネル駆動回路を含む。【選択図】図２
2018036620.tif 000002
【特許請求の範囲】
【請求項１】
複数のゲートライン、複数の高電位電圧ラインを含み、少なくとも前記複数のゲートライン、前記複数の高電位電圧ラインによりゲート信号と高電位電圧の伝達を受ける複数の画素を含む表示パネル；
前記高電位電圧ラインと連結され、ノーマルモードでイネーブルされて前記高電位電圧ラインに第１高電位電圧を供給し、低電力モードでディスエーブルされる電源部；及び
前記低電力モードに対応して前記電源部をディスエーブルされるように制御し、第２高電位電圧を前記高電位電圧ラインに供給して前記ノーマルモードから前記低電力モードに転換するとき、前記ノーマルモードから前記低電力モードに転換される転換時間の長さを調節することにより、前記高電位電圧ラインに印加される電圧レベルが第１高電位電圧の電圧レベルから前記第２高電位電圧の電圧レベルに達する時間を変更するパネル駆動回路
を含む、表示装置。
【請求項２】
前記パネル駆動回路は、前記低電力モードで前記電源部をディスエーブルし、前記高電位電圧ラインに供給する前記第２高電位電圧により発生する前記パネル駆動回路から前記高電位電圧ラインに流れる電流の量を調節して前記転換時間の長さを調節する、請求項１に記載の表示装置。
【請求項３】
前記パネル駆動回路は、複数の経路の少なくとも一つの経路を選択して前記電流の量を調節するスイッチ部を含む、請求項２に記載の表示装置。
【請求項４】
前記スイッチ部は、
第１スイッチ信号によりターンオンされ、前記第２高電位電圧を前記高電位電圧ラインに伝達する第１スイッチ；
第２スイッチ信号によりターンオンされ、前記第２高電位電圧を前記高電位電圧ラインに伝達する第２スイッチ；及び
前記第１スイッチ信号と前記第２スイッチ信号の出力時点を調節して出力することにより、前記電流の量を調節するロジック部
を含む、請求項３に記載の表示装置。
【請求項５】
前記スイッチ部は、第１スイッチ、第２スイッチ、第３スイッチ、ダイオードと、前記第１スイッチを制御する第１スイッチ信号と前記第２スイッチを制御する前記第２スイッチ信号を出力するロジック部を含み、
前記第１スイッチは、第１電極が前記第２高電位電圧が入力される入力端に連結され、第２電極が前記第３スイッチの第１電極及び前記ダイオードのアノード電極に連結され、ゲート電極が前記第１スイッチ信号の伝達を受け、
前記第２スイッチは、前記第１スイッチと並列に連結され、第１電極が前記入力端に連結され、第２電極が前記第３スイッチの第１電極及び前記ダイオードのアノード電極に連結され、ゲート電極が前記第２スイッチ信号の伝達を受け、
前記ダイオードは、アノード電極が前記第１スイッチ及び前記第２スイッチの第２電極と連結され、カソード電極が前記第１ノードの間に連結され、
前記第３スイッチは、前記ダイオードと並列に連結されて、第１電極が前記第１スイッチ及び前記第２スイッチの第２電極と連結され、第２電極が前記第１ノードと連結され、ゲート電極が前記第２スイッチ信号の伝達を受け、
前記ロジック部は、前記第１スイッチ信号と前記第２スイッチ信号の出力時点を調節して出力することにより、前記電流の量を調節するロジック部を含む、請求項３に記載の表示装置。
【請求項６】
前記ロジック部は、
入力される第１論理信号をインバーティングして前記第１スイッチ信号を出力するインバータ；及び
入力される第１論理信号と第２論理信号をＮＡＮＤ演算して前記第２スイッチ信号を出力するＮＡＮＤゲート
を含む、請求項５に記載の表示装置。
【請求項７】
前記第１スイッチに対応する抵抗は、前記第２スイッチに対応する抵抗より抵抗値が大きい、請求項４に記載の表示装置。
【請求項８】
前記第１スイッチに対応する抵抗は、前記第２スイッチに対応する抵抗より抵抗値が大きい、請求項５に記載の表示装置。
【請求項９】
前記ノーマルモードで一フレームの期間は、前記低電力モードで一フレームの期間より短い、請求項１に記載の表示装置。
【請求項１０】
前記第１高電位電圧の電圧レベルが、前記第２高電位電圧の電圧レベルより高い、請求項１に記載の表示装置。
【請求項１１】
複数のゲートライン、複数の高電位電圧ラインを含み、少なくとも前記複数のゲートライン、前記複数の高電位電圧ラインによりゲート信号と高電位電圧の伝達を受ける複数の画素を含む表示パネル；
前記高電位電圧ラインと連結され、ノーマルモードでイネーブルされて前記高電位電圧ラインに第１高電位電圧を供給し、低電力モードでディスエーブルされる電源部；及び
前記低電力モードに対応して前記電源部をディスエーブルされるように制御し、第２高電位電圧を前記高電位電圧ラインに供給して前記ノーマルモードを前記低電力モードに転換するとき、前記表示パネルの輝度変化値を設定し、前記輝度変化値に対応して前記ノーマルモードで輝度を前記低電力モードで輝度に変更することにより、輝度変更時間を調節するパネル駆動回路
を含む、表示装置。
【請求項１２】
前記パネル駆動回路は、前記低電力モードで前記電源部をディスエーブルし、前記高電位電圧ラインに供給する前記第２高電位電圧により発生する前記パネル駆動回路から前記高電位電圧ラインに流れる電流の量を調節して前記輝度変更時間を調節する、請求項１１に記載の表示装置。
【請求項１３】
前記パネル駆動回路は、複数の経路の少なくとも一つの経路を選択して前記電流の量を調節するスイッチ部を含む、請求項１２に記載の表示装置。
【請求項１４】
前記スイッチ部は、
第１スイッチ信号によりターンオンされ、前記第２高電位電圧を前記高電位電圧ラインに伝達する第１スイッチ；
第２スイッチ信号によりターンオンされ、前記第２高電位電圧を前記高電位電圧ラインに伝達する第２スイッチ；及び
前記第１スイッチ信号と前記第２スイッチ信号の出力時点を調節して出力することにより、前記電流の量を調節されるようにするロジック部
を含む、請求項１３に記載の表示装置。
【請求項１５】
前記スイッチ部は、第１スイッチ、第２スイッチ、第３スイッチ、ダイオードと、前記第１スイッチを制御する第１スイッチ信号と、前記第２スイッチ及び前記第３スイッチを制御する第２スイッチ信号を出力するロジック部を含み、
前記第１スイッチは、第１電極が前記第２高電位電圧が入力される入力端に連結され、第２電極が前記第３スイッチの第１電極及び前記ダイオードのアノード電極に連結され、ゲート電極が前記第１スイッチ信号の伝達を受け、
前記第２スイッチは、前記第１スイッチと並列に連結され、第１電極が前記入力端に連結され、第２電極が前記第３スイッチの第１電極及び前記ダイオードのアノード電極に連結され、ゲート電極が前記第２スイッチ信号の伝達を受け、
前記ダイオードは、アノード電極が前記第１スイッチ及び前記第２スイッチの第２電極と連結され、カソード電極が前記第１ノードの間に連結され、
前記第３スイッチは、前記ダイオードと並列に連結されて、第１電極が前記第１スイッチ及び前記第２スイッチの第２電極と連結され、第２電極が前記第１ノードと連結され、ゲート電極が前記第２スイッチ信号の伝達を受け、
前記ロジック部は、前記第１スイッチ信号と前記第２スイッチ信号の出力時点を調節して出力することにより、前記電流の量を調節するロジック部を含む、請求項１３に記載の表示装置。
【請求項１６】
前記ロジック部は、
入力される第１論理信号をインバーティングして前記第１スイッチ信号を出力するインバータ；及び
入力される前記第１論理信号と第２論理信号をＮＡＮＤ演算して前記第２スイッチ信号を出力するＮＡＮＤゲートを含む、請求項１５に記載の表示装置。
【請求項１７】
前記第１スイッチに対応する抵抗は、前記第２スイッチに対応する抵抗より抵抗値が大きい、請求項１４に記載の表示装置。
【請求項１８】
前記第１スイッチに対応する抵抗は、前記第２スイッチに対応する抵抗より抵抗値が大きい、請求項１５に記載の表示装置。
【請求項１９】
前記ノーマルモードで一フレームの期間は、前記低電力モードで一フレームの期間より短い、請求項１１に記載の表示装置。
【請求項２０】
表示パネルの高電位電圧ラインにノーマルモードと低電力モードによって選択的に異なる大きさの電圧を伝達する表示装置の駆動方法であって、
前記ノーマルモードで第１高電位電圧を前記高電位電圧ラインに伝達するステップ；及び
前記低電力モードで前記第１高電位電圧を遮断し、第２高電位電圧を前記高電位電圧ラインに伝達して前記表示パネルの高電位電圧ラインに印加される電圧を前記第１高電位電圧から前記第２高電位電圧に転換し、前記第１高電位電圧から前記第２高電位電圧に転換される転換時間の長さを調節することにより、前記高電位電圧ラインに印加される電圧レベルが第１高電位電圧の電圧レベルから前記第２高電位電圧の電圧レベルに達する時間を変更するステップ
を含む、表示装置の駆動方法。
【請求項２１】
前記第２高電位電圧により発生する前記高電位電圧ラインに流れる電流の流れを調節して前記転換時間を調節する、請求項２０に記載の表示装置の駆動方法。
【請求項２２】
前記電流の流れは、前記第２高電位電圧の入力端と前記高電位電圧ラインとの間の抵抗比を調節することにより調節される、請求項２１に記載の表示装置の駆動方法。
【請求項２３】
前記ノーマルモードで一フレームの期間は、前記低電力モードで一フレームの期間より短い、請求項２０に記載の表示装置の駆動方法。
【請求項２４】
前記第１高電位電圧の電圧レベルが、前記第２高電位電圧の電圧レベルより高い、請求項２０に記載の表示装置の駆動方法。
【発明の詳細な説明】
【技術分野】
【０００１】
本発明は、表示装置及びその駆動方法に関する。
【背景技術】
【０００２】
情報化社会が発展するに伴って画像を表示するための表示装置への要求が様々な形態で増加しており、液晶表示装置（ＬＣＤ：Ｌｉｑｕｉｄ  Ｃｒｙｓｔａｌ  Ｄｉｓｐｌａｙ  Ｄｅｖｉｃｅ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ  Ｄｅｖｉｃｅ）等のような種々のタイプの表示装置がモバイル機器に採用されている。
【０００３】
モバイル機器は、特性上、バッテリーを通して電力の供給を受けるため、長時間用いるためには、電力管理が非常に重要となる。従って、ユーザが使用しない場合、表示装置が消費電力の少ない低電力モードに突入して動作するようにする技術が開発されている。しかし、液晶表示装置の場合、バックライトユニットの明るさを調節して低電力モードに突入するようにすることができるが、有機発光表示装置は、自発光素子を採用しているため、液晶表示装置に採用した低電力モードを採用することができない。そして、液晶表示装置に採用した低電力モードを有機発光表示装置に採用する場合、非正常な映像が表現される区間が発生し得る。これによって、有機発光表示装置に最適化された低電力モードを遂行する駆動方法が開発されるべき必要がある。
【発明の概要】
【発明が解決しようとする課題】
【０００４】
本発明の目的は、低電力モードで非正常な映像が表示されることを防止することができる表示装置及びその駆動方法を提供することである。
【０００５】
本発明のまた他の目的は、表示される映像の輝度をゆっくり変化させることができるようにする表示装置及びその駆動方法を提供することである。
【課題を解決するための手段】
【０００６】
一側面において、本発明は、複数のゲートライン、複数の高電位電圧ラインを含み、少なくとも複数のゲートライン、複数の高電位電圧ラインによりゲート信号と高電位電圧の伝達を受ける複数の画素を含む表示パネル、高電位電圧ラインと連結され、ノーマルモードでイネーブルされて高電位電圧ラインに第１高電位電圧を供給し、低電力モードでディスエーブルされる電源部、及び低電力モードに対応して電源部をディスエーブルされるように制御し、第２高電位電圧を高電位電圧ラインに供給してノーマルモードから低電力モードに転換するとき、高電位電圧ラインに供給される第１高電位電圧を第２高電位電圧に転換する転換時間の長さを調節することにより、高電位電圧ラインに印加される電圧レベルが第１高電位電圧の電圧レベルから第２高電位電圧の電圧レベルに達する時間を変更するパネル駆動回路を含む表示装置を提供するものである。
【０００７】
他の側面において、本発明は、複数のゲートライン、複数の高電位電圧ラインを含み、少なくとも複数のゲートライン、複数の高電位電圧ラインによりゲート信号と高電位電圧の伝達を受ける複数の画素を含む表示パネル、高電位電圧ラインと連結され、ノーマルモードでイネーブルされて高電位電圧ラインに第１高電位電圧を供給し、低電力モードでディスエーブルされる電源部、及び低電力モードに対応して電源部をディスエーブルされるように制御し、第２高電位電圧を高電位電圧ラインに供給してノーマルモードを低電力モードに転換するとき、表示パネルの輝度変化値を設定し、ノーマルモードで輝度を低電力モードで輝度に変更する輝度変更時間を調節するパネル駆動回路を含む表示装置を提供するものである。
【０００８】
また他の側面において、本発明は、表示パネルの高電位電圧ラインにノーマルモードと低電力モードによって選択的に異なる大きさの電圧を伝達する表示装置の駆動方法であって、ノーマルモードで第１高電位電圧を高電位電圧ラインに伝達するステップ、及び低電力モードで第１高電位電圧を遮断し、第２高電位電圧を高電位電圧ラインに伝達して表示パネルの高電位電圧ラインに印加される電圧を第１高電位電圧から第２高電位電圧に転換し、第１高電位電圧から第２高電位電圧に転換される転換時間の長さを調節することにより、高電位電圧ラインに印加される電圧レベルが第１高電位電圧の電圧レベルから第２高電位電圧の電圧レベルに達する時間を変更するステップを含む表示装置の駆動方法を提供するものである。
【発明の効果】
【０００９】
本発明によると、低電力モードで表示パネルに非正常な映像が表示されることを防止することができる。また、本実施例によると、ノーマルモードから低電力モードに転換される転換時間の長さを調節することができ、表示パネルの輝度が自然に変化するようにすることができる。
【図面の簡単な説明】
【００１０】
【図１】本発明に係る表示装置の第１実施例を示す構造図である。
【図２】本発明に係る表示装置の第２実施例を示す構造図である。
【図３ａ】図２に示された表示装置において、ノーマルモードから低電力モードに変換される過程の第１実施例を示すタイミング図である。
【図３ｂ】図２に示された表示装置において、ノーマルモードから低電力モードに変換される過程の第２実施例を示すタイミング図である。
【図４】図２に示された表示装置に採用された画素の一実施例を示す回路図である。
【図５】図２に示された表示装置に採用されたスイッチ部の第１実施例を示す構造図である。
【図６】図２に示された表示装置に採用されたスイッチ部の第２実施例を示す構造図である。
【図７】図６に示されているロジック部の一実施例を示す回路図である。
【図８】図６に示されているスイッチ部の動作により高電位電圧の電圧レベルが変更されることを示すタイミング図である。
【図９ａ】ノーマルモードから低電力モードに転換される転換時間の長さが０フレームに該当する時間である場合を示すグラフである。
【図９ｂ】ノーマルモードから低電力モードに転換される転換時間の長さが２フレームに該当する時間である場合を示すグラフである。
【図９ｃ】ノーマルモードから低電力モードに転換される転換時間の長さが４フレームに該当する時間である場合を示すグラフである。
【図９ｄ】ノーマルモードから低電力モードに転換される転換時間の長さが８フレームに該当する時間である場合を示すグラフである。
【図１０】図２に示された表示装置の動作を示すフローチャートである。
【発明を実施するための形態】
【００１１】
以下、本発明の一部の実施例を例示的な図面を参照して詳細に説明する。各図面の構成要素に参照符号を付加するにあたって、同一の構成要素に対しては、他の図面上に表示されても可能な限り同一の符号を有することができる。また、本発明を説明するにあたって、関連の公知構成または機能についての具体的な説明が本発明の要旨を濁す恐れがあると判断される場合は、その詳細な説明は省略できる。
【００１２】
また、本発明の構成要素を説明するにあたって、第１、第２、Ａ、Ｂ、（ａ）、（ｂ）等の用語を用いることができる。このような用語は、その構成要素を他の構成要素と区別するためのものであるだけで、その用語により該当構成要素の本質、順番、順序または個数等が限定されることはない。ある構成要素が他の構成要素に「連結」、「結合」または「接続」されると記載された場合、その構成要素は、その他の構成要素に直接的に連結または接続され得るが、各構成要素の間に他の構成要素が「介在」されるか、各構成要素が他の構成要素を通して「連結」、「結合」または「接続」されてもよいと理解されるべきである。
【００１３】
図１は、本発明に係る表示装置の第１実施例を示す構造図である。
【００１４】
図１を参照すると、表示装置１００は、表示パネル１１０、ゲート駆動部１２０、データ駆動部１３０、電源部１５０及び制御部１４０を含むことができる。
【００１５】
表示パネル１１０は、複数のゲートラインＳ１、Ｓ２、・・・、Ｓｎ−１、Ｓｎ、複数のデータラインＤ１、Ｄ２、・・・、Ｄｍ−１、Ｄｍ、複数の高電位電圧ラインＶＬ１、ＶＬ２、・・・、ＶＬｍ−１、ＶＬｍが交差する領域に形成される複数の画素１０１を含むことができる。各画素１０１は、ゲートライン、データライン、高電位電圧ラインが連結されているものと示されているが、これに限定されるものではなく、画素１０１は、初期化信号ライン、発光信号ライン等とさらに連結されて、初期化信号、発光信号の伝達を受けることができる。また、表示パネル１１０は、ノーマルモードである場合、第１高電位電圧ＥＬＶＤＤの伝達を受けて駆動され、低電力モードでは、第２高電位電圧ＤＤＶＤＨの伝達を受けて駆動され得る。第２高電位電圧ＤＤＶＤＨの電圧レベルは、第１高電位電圧ＥＬＶＤＤの電圧レベルより低くてよく、低電力モードで表示パネル１１０で消費される消費電力を低減することができる。第１高電位電圧ＥＬＶＤＤは、電源部１５０で生成される電圧であってよく、第２高電位電圧ＤＤＶＤＨは、ゲート駆動部１２０、データ駆動部１３０、制御部１４０を駆動するための電圧であってよい。
【００１６】
また、ノーマルモードは、表示装置１００が６０Ｈｚ、１２０Ｈｚの駆動周波数によって動作するモードであり、低電力モードは、表示装置１００が７．５〜５０Ｈｚの範囲内の駆動周波数によって動作するモードであってよい。これによって、ノーマルモードで表示装置１００に表示される映像の一フレームの期間は、低電力モードで表示装置１００に表示される映像の一フレームの期間より短く具現され得る。従って、同一の時間の間、低電力モードで表示装置１００が駆動するようになるとき、映像の変化がノーマルモードより少なく、低電力モードにおいて表示パネル１１０で消費する消費電力を低減することができる。
【００１７】
ゲート駆動部１２０は、順次にゲート信号を複数のゲートラインＳ１、Ｓ２、・・・、Ｓｎ−１、Ｓｎに伝達することができる。順次にゲート信号が複数のゲートラインＳ１、Ｓ２、・・・、Ｓｎ−１、Ｓｎを通して画素１０１に伝達されると、複数のデータラインＤ１、Ｄ２、・・・、Ｄｍ−１、Ｄｍを通して伝達されるデータ信号が画素１０１に伝達されるようにすることができる。画素１０１が発光信号の伝達を受ける場合は、ゲート駆動部１２０が発光信号ラインを通して画素に発光信号を供給することができる。しかし、これに限定されるものではない。
【００１８】
データ駆動部１３０は、データ信号を複数のデータラインＤ１、Ｄ２、・・・、Ｄｍ−１、Ｄｍに伝達することができる。複数のデータラインＤ１、Ｄ２、・・・、Ｄｍ−１、Ｄｍに伝達されたデータ信号は、ゲート駆動部１２０を通してゲート信号が伝達された画素１０１に伝達されて格納され得る。
【００１９】
制御部１４０は、垂直同期信号Ｖｓｙｎｃ、水平同期信号Ｈｓｙｎｃ、クロックｃｌｋを含む制御信号をゲート駆動部１２０、データ駆動部１３０に伝達し、ゲート駆動部１２０とデータ駆動部１３０が駆動されるようにすることができる。また、制御部１４０は、データ駆動部１３０にデータ信号を伝達することができる。制御部１４０は、ノーマルモードと低電力モードとに区分し、制御信号をゲート駆動部１２０、データ駆動部１３０に伝達することができる。また、制御部１４０は、ノーマルモードで電源部１５０をイネーブルして電源部１５０から表示パネル１１０の複数の高電位電圧ラインＶＬ１、ＶＬ２、・・・、ＶＬｍ−１、ＶＬｍに第１高電位電圧ＥＬＶＤＤを供給し、低電力モードで電源部１５０をディスエーブルして電源部１５０から表示パネル１１０に第１高電位電圧ＥＬＶＤＤを供給しないようにすることができる。制御部１４０は、表示装置１００の動作を制御するタイミングコントローラ（Ｔｉｍｉｎｇ  Ｃｏｎｔｒｏｌｌｅｒ）であってよい。しかし、これに限定されるものではない。
【００２０】
電源部１５０は、表示パネル１１０の複数の高電位電圧ラインＶＬ１、ＶＬ２、・・・、ＶＬｍ−１、ＶＬｍに第１高電位電圧ＥＬＶＤＤを供給することができる。電源部１５０は、制御部１４０によってノーマルモードではイネーブル状態となり、第１高電位電圧ＥＬＶＤＤを複数の高電位電圧ラインＶＬ１、ＶＬ２、・・・、ＶＬｍ−１、ＶＬｍに伝達することができる。しかし、低電力モードでは、電源部１５０は制御部１４０によってディスエーブル状態となり、複数の高電位電圧ラインＶＬ１、ＶＬ２、・・・、ＶＬｍ−１、ＶＬｍに第１高電位電圧ＥＬＶＤＤを伝達しなくなり得る。電源部１５０が低電力モードでディスエーブル状態になると、電源部１５０で消費される電力を減らすことができ、表示装置１００の消費電力を低減することができる。ここで、電源部１５０は、直流−直流変換器（ＤＣ−ＤＣ  Ｃｏｎｖｅｒｔｅｒ）であってよい。しかし、これに限定されるものではない。
【００２１】
また、表示装置１００は、前記のゲート駆動部１２０、データ駆動部１３０、制御部１４０は、一つのチップ形態に作製されたパネル駆動回路１８０に含まれ得る。また、パネル駆動回路１８０は、パネル電圧の入力を受けて、パネル駆動回路１８０は、内部に含まれているゲート駆動部１２０、データ駆動部１３０、制御部１４０で用いられる第２高電位電圧ＤＤＶＤＨを生成することができる。また、パネル駆動回路１８０は、低電力モードで電源部１５０をディスエーブル状態となるように制御し、自身が生成した第２高電位電圧を表示パネル１１０に供給することができる。また、パネル駆動回路１８０は、電源部１５０をディスエーブル状態となるように制御した後、自身が生成した第２高電位電圧ＤＤＶＤＨを複数の高電位電圧ラインＶＬ１、ＶＬ２、・・・、ＶＬｍ−１、ＶＬｍに印加する時間を調節することができる。また、パネル駆動回路１８０は、ノーマルモードから低電力モードに転換するとき、ノーマルモードから低電力モードに転換されるのに必要な転換時間の長さを調節することができる。ここで、転換時間の長さは、複数の高電位電圧ラインＶＬ１、ＶＬ２、・・・、ＶＬｍ−１、ＶＬｍに供給される第１高電位電圧ＥＬＶＤＤを第２高電位電圧ＤＤＶＤＨに達するのに必要な時間を意味し得る。パネル駆動回路１８０は、転換時間の長さを調節することにより、複数の高電位電圧ラインＶＬ１、ＶＬ２、・・・、ＶＬｍ−１、ＶＬｍに印加される電圧レベルが第１高電位電圧ＥＬＶＤＤの電圧レベルから第２高電位電圧ＤＤＶＤＨの電圧レベルに達する時間を変更することができる。転換時間の長さを調節して、複数の高電位電圧ラインＶＬ１、ＶＬ２、・・・、ＶＬｍ−１、ＶＬｍに印加される電圧レベルが第１高電位電圧ＥＬＶＤＤの電圧レベルから第２高電位電圧ＤＤＶＤＨの電圧レベルに達する時間を変更することができる。従って、ノーマルモードから低電力モードに転換が急になされず、自然になされるようにすることができる。これによって、表示装置１００で表示される輝度が自然に変化でき、ノーマルモードから低電力モードに変換されるとき、非正常な映像が表示されないようにすることができる。
【００２２】
また、パネル駆動回路１８０は、ノーマルモードを低電力モードに転換するとき、表示パネル１１０の輝度変化値を設定し、ノーマルモードで輝度を低電力モードで輝度に変更する輝度変更時間を調節することができる。即ち、ノーマルモードから低電力モードに転換されるとき、輝度変更時間に輝度変化値を適用し、表示パネル１１０で表示される輝度が輝度変化値に対応して変化するようにすることで、ノーマルモードから低電力モードに変換されるとき、非正常な映像が表示されないようにすることができる。
【００２３】
図２は、本発明に係る表示装置の第２実施例を示す構造図である。
【００２４】
図２を参照すると、表示装置２００は、表示パネル２３０、電源部２２０及びパネル駆動回路２１０を含むことができる。
【００２５】
表示パネル２３０は、ゲートラインＳｎ、高電位電圧ラインＶＬｍを通して走査信号と高電位電圧の供給を受ける画素を含むことができる。ここで、表示パネル２３０は、パッシブマトリクス形態の構造を有するものと表示されているが、これに限定されるものではなく、アクティブマトリクス形態の構造を有することも可能である。また、一つの画素のみ表示されているが、これは、説明のためのものであり、複数の画素を含むことができる。また、画素は、表示パネル２３０に含まれている画素は、下記の図４に示されている画素であってよい。しかし、これに限定されるものではない。
【００２６】
電源部２２０は、表示パネル２３０の高電位電圧ラインＶＬｍと連結され、ノーマルモードでイネーブルされて高電位電圧ラインに第１高電位電圧ＥＬＶＤＤを供給し、低電力モードでディスエーブルされ得る。電源部２２０は、イネーブル端子２２１を含み、イネーブル端子２２１でパネル駆動回路２１０からイネーブル信号の伝達を受けると、電源部２２０はイネーブル状態となり、表示パネル２３０の出力端２２２を通して高電位電圧ラインＶＬに第１高電位電圧ＥＬＶＤＤを供給することができる。また、電源部２２０は、イネーブル端子２２１にパネル駆動回路２１０からイネーブル信号の伝達を受けないか、ディスエーブル信号の伝達を受けると、ディスエーブル状態となり、表示パネル２３０の高電位電圧ラインＶＬｍに第１高電位電圧ＥＬＶＤＤが供給されないようにすることができる。
【００２７】
パネル駆動回路２１０は、低電力モードに対応して電源部２２０をディスエーブルされるように制御し、第２高電位電圧ＤＤＶＤＨを高電位電圧ラインＶＬｍに供給してノーマルモードから低電力モードに転換することができる。ノーマルモードから低電力モードに転換されるとき、パネル駆動回路２１０は、高電位電圧ラインＶＬｎに供給される第１高電位電圧ＥＬＶＤＤを第２高電位電圧ＤＤＶＤＨに転換する転換時間を調節することにより、高電位電圧ラインＶＬｍに印加される電圧レベルが第１高電位電圧ＥＬＶＤＤの電圧レベルから第２高電位電圧ＤＤＶＤＨの電圧レベルに達する時間を変更することができる。第１高電位電圧ＥＬＶＤＤの電圧レベルから第２高電位電圧ＤＤＶＤＨの電圧レベルに達する時間の変更は、高電位電圧ラインＶＬｎに第２高電位電圧ＤＤＶＤＨから電流を供給することで変更することができる。これによって、第１高電位電圧ＥＬＶＤＤが遮断されても、直ちに高電位電圧ラインＶＬｎに印加される電圧が低くならないようになり得る。
【００２８】
パネル駆動回路２１０は、パネル入力電圧Ｖｐｎｌを調整して前記第２高電位電圧ＤＤＶＤＨを出力するチャージポンプ２１１を含むことができる。
【００２９】
また、パネル駆動回路２１０は、複数の経路の少なくとも一つの経路を選択し、パネル駆動回路２１０から高電位電圧ラインＶＬｍに電流の流れる量を調節するスイッチ部２１２を含むことができる。スイッチ部２１２は、一つの経路を選択して高電位電圧ラインＶＬｍに流れる電流の量を少なくし、二つの経路を選択して高電位電圧ラインＶＬｍに流れる電流の量を大きくすることができる。スイッチ部２１２で一つの経路を選択して流れる電流の量を少なくすると、高電位電圧ラインＶＬｍの電圧レベルが低くなる時間が長くなり、第１高電位電圧ＥＬＶＤＤの電圧レベルから第２高電位電圧ＤＤＶＤＨの電圧レベルに転換される転換時間の長さを長くすることができる。転換時間の長さが長くなりすぎると、高電位電圧ラインＶＬｍに印加される電圧がなく、高電位電圧ラインＶＬｍの電圧レベルが第２高電位電圧ＤＤＶＤＨの電圧レベルよりさらに低くなり得る。このような問題点を解決するために、スイッチ部２１２は、複数の経路のうち他の一つの経路をさらに選択して高電位電圧ラインＶＬｍに流れる電流の量を大きくし、転換時間を短くなるようにすることができる。そして、スイッチ部２１２で一つの経路を選択する時点後に他の一つの経路をさらに選択する時点を調節することで転換時間を調節することができる。これにより、高電位電圧ラインＶＬｍの電圧を監視して、電圧レベルが第２高電位電圧ＤＤＶＤＨの電圧レベルより低くなる時点より早い時間に他の一つの経路をさらに選択するようにすることで、高電位電圧ラインＶＬｍの電圧レベルが第２高電位電圧ＤＤＶＤＨの電圧レベルよりさらに低くなって、また上昇することを防止することができる。これによって、表示パネル２３０でひらめきが現れることを防止することができる。
【００３０】
また、電源部２２０で供給する第１高電位電圧ＥＬＶＤＤは、パネル駆動回路２１０で供給する第２高電位電圧ＤＤＶＤＨの電圧レベルより高い電圧レベルを有するようになり、低電力モードで低い電圧を用いるため、消費電力をさらに低減することができる。
【００３１】
図３ａは、図２に示された表示装置において、ノーマルモードから低電力モードに変換される過程の第１実施例を示すタイミング図であり、図３ｂは、図２に示された表示装置において、ノーマルモードから低電力モードに変換される過程の第２実施例を示すタイミング図である。
【００３２】
図３ａ及び図３ｂを参照すると、ノーマルモードでは、垂直同期信号が６０Ｈｚまたは１２０Ｈｚの周波数に対応して発生し得る。このとき、ノーマルモードで電源部２２０はイネーブル状態となり、表示パネル２３０の高電位電圧ラインＶＬｍに第１高電位電圧ＥＬＶＤＤを供給する。ノーマルモードで測定された表示パネル２３０の輝度は、各画素がそれぞれ最高階調に対応して光を発光することに対応できる。表示パネル２３０の輝度は、ノーマルモードで一定の明るさを維持できるようになる。低電力モードで垂直同期信号は、７．５Ｈｚから５０Ｈｚの範囲の周波数のいずれか一つの周波数に対応して発生し得る。
【００３３】
ノーマルモードから低電力モードに転換されると、電源部２２０がディスエーブルされ、電源部２２０で第１高電位電圧ＥＬＶＤＤが出力されなくなる。そして、パネル駆動回路２１０では、第２高電位電圧ＤＤＶＤＨを高電位電圧ラインＶＬｍに印加し、スイッチ部２１２を利用して高電位電圧ラインＶＬｍの電圧レベルが第２高電位電圧ＤＤＶＤＨの電圧レベルに達する時間を変更することができる。
【００３４】
より具体的に説明すると、パネル駆動回路２１０は、スイッチ部２１２を利用して複数の経路のうち一つの経路を選択して流れる電流の量を少なくすると、高電位電圧ラインＶＬｍの電圧レベルが低くなる時間が長くなり、第１高電位電圧ＥＬＶＤＤの電圧レベルから第２高電位電圧ＤＤＶＤＨの電圧レベルに転換される転換時間Ｔｔの長さを長くすることができ、転換時間Ｔｔの長さが長くなりすぎて高電位電圧ラインＶＬｍの電圧レベルが第２高電位電圧ＤＤＶＤＨの電圧レベルより低くなることを防止するために、スイッチ部２１２で複数の経路のうち他の一つの経路をさらに選択して高電位電圧ラインＶＬｍに流れる電流の量を大きくすることで、転換時間Ｔｔの長さが短くなるようにすることができる。そして、スイッチ部２１２で一つの経路を選択する時点後に他の一つの経路をさらに選択する時点を調節することで、転換時間Ｔｔの長さを調節することができる。即ち、高電位電圧ラインＶＬｍの電圧を監視して、電圧レベルが第２高電位電圧ＤＤＶＤＨの電圧レベルより低くなる時点より早い時間に他の一つの経路をさらに選択するようにすることで、図３ａに示されているように、高電位電圧ラインＶＬｍの電圧レベルが第１高電位電圧ＥＬＶＤＤの電圧レベルから第２高電位電圧ＤＤＶＤＨの電圧レベルにゆっくり減少するようにすることができ、表示パネル２３０で表示される映像にひらめきが現れないようにすることができる。表示パネル２３０毎にノーマルモードから低電力モードに転換されるとき、高電位電圧ラインＶＬｍの電圧を監視し、第１高電位電圧ＥＬＶＤＤの電圧レベルから第２高電位電圧ＤＤＶＤＨの電圧レベルにゆっくり減少できるようにスイッチ部２１２を設定することで、転換時間の長さを決定することができる。ここで、転換時間Ｔｔに輝度（Ｌ）を示す線の傾きは、輝度の変化値に対応し得る。
【００３５】
しかし、パネル駆動回路２１０で電源部２２０をディスエーブル状態となるようにし、直ちに第２高電位電圧ＤＤＶＤＨを高電位電圧ラインＶＬｍに印加せず、一定時間が経過した後に印加するようになると、図３ｂに示されたように、高電位電圧ラインＶＬｍの電圧レベルは第２高電位電圧ＤＤＶＤＨが印加されないため、高電位電圧ラインＶＬｍに印加される電圧レベルは、第２高電位電圧ＤＤＶＤＨの電圧レベルより低くなり、第２高電位電圧ＤＤＶＤＨが高電位電圧ラインＶＬｍに印加されると、また電圧が高くなる。これによって、表示パネル２３０で表示される映像の輝度が低くなって、また高くなる瞬間が現れるようになり、表示パネル２３０に表示される映像にひらめきが現れる問題点が発生し得る。従って、転換時間Ｔｔを調節することができず、高電位電圧ラインＶＬｍに第２高電位電圧ＤＤＶＤＨを直ちに印加しなければならない。
【００３６】
図４は、図２に示された表示装置に採用された画素の一実施例を示す回路図である。
【００３７】
図４を参照すると、画素２３０ａは、ＯＬＥＤと、第１及び第２トランジスタＭ１ａ、Ｍ２ａ並びにキャパシタＣ１ａを備え、ＯＬＥＤに流れる電流を制御する画素回路を含むことができる。ここで、第１トランジスタＭ１ａは、ＯＬＥＤに流れる電流を駆動する駆動トランジスタであってよい。低電位電圧ＥＬＶＳＳは、接地であってよい。しかし、これに限定されるものではない。
【００３８】
第１トランジスタＭ１ａの第１電極は、高電位電圧ＥＬＶＤＤが伝達される高電位電圧線ＶＬに連結され、第２電極は、ＯＬＥＤのアノードに連結され、ゲート電極は、第２ノードＮ２ａに連結され得る。そして、第１トランジスタＭ１ａは、第１電極とゲート電極の電圧差に対応して第１電極から第２電極方向に電流が駆動されるようにすることができる。
【００３９】
第２トランジスタＭ２ａの第１電極は、データラインＤｍに連結され、第２電極は、第２ノードＮ２ａに連結され、ゲート電極は、ゲートラインＳｎに連結され得る。第２トランジスタＭ２ａは、ゲートラインＳｎを通して伝達されるゲート信号の電圧に対応してデータラインＤｍを通して伝達されるデータ信号に対応するデータ電圧Ｖｄａｔａを第２ノードＮ２ａに伝達することができる。
【００４０】
キャパシタＣ１ａは、第２ノードＮ２ａと第３ノードＮ３ａとの間に連結され、第１トランジスタＭ１ａのゲート電極と第１電極との間の電圧を一定に維持するようにすることができる。
【００４１】
前記の各トランジスタの第１電極は、ドレイン電極であり、第２電極は、ソース電極であってよい。しかし、これに限定されるものではない。また、各トランジスタは、ＰＭＯＳトランジスタと図示されているが、これに限定されるものではなく、ＮＭＯＳトランジスタであってもよい。
【００４２】
図５は、図２に示された表示装置に採用されたスイッチ部の第１実施例を示す構造図である。
【００４３】
図５を参照すると、スイッチ部５００は、第１スイッチ信号ＳＷ１によりターンオンされ、入力端ＩＮを通して伝達される第２高電位電圧ＤＤＶＤＨを第１ノードＮ１ａと連結されている高電位電圧ラインに伝達する第１スイッチＳ１、第２スイッチ信号ＳＷ２によりターンオンされ、第２高電位電圧ＤＤＶＤＨを高電位電圧ラインに伝達する第２スイッチＳ２、及び第１スイッチ信号ＳＷ１と第２スイッチ信号ＳＷ２の出力時点を調節して出力することにより、電流の量を調節するロジック部５１０を含むことができる。ロジック部５１０は、制御部５３０により制御され得る。
【００４４】
スイッチ部５００の動作は、ノーマルモードから低電力モードに転換されると、第１スイッチ信号ＳＷ１により第１スイッチＳ１がターンオンされる。第１スイッチ信号ＳＷ１により第１スイッチＳ１がターンオンされると、入力端ＩＮから第１ノードＮ１ａの方向に経路が形成され、形成された経路を通して電流が流れることとなる。そして、第１スイッチ信号ＳＷ１により第１スイッチＳ１がターンオンを維持する状態で第２スイッチ信号ＳＷ２により第２スイッチＳ２がターンオンされると、第１スイッチＳ１と第２スイッチＳ２により入力端ＩＮから第１ノードＮ１ａの方向に二つの経路が形成され得る。各経路に流れる電流の量は、第１スイッチＳ１と第２スイッチＳ２に形成されている抵抗比により決定され得る。第１スイッチＳ１と第２スイッチＳ２の抵抗の大きさが同一であれば、二つの経路を通して流れる各電流の量は同一である。しかし、第１スイッチＳ１に比べて第２スイッチＳ２の抵抗の大きさが小さければ、第２スイッチＳ２を通して流れる電流の量が第１スイッチＳ１を通して流れる電流の量より大きい。しかし、第１スイッチＳ１のみターンオンされた場合より第２スイッチＳ２までターンオンされた場合に一つの経路がさらに生じたため、第１ノードＮ１ａに流れる電流の量はさらに大きくなり得る。これにより、第１スイッチＳ１のみターンオンされた場合より第１スイッチＳ１と第２スイッチＳ２が共にターンオンされた場合、第１ノードＮ１ａに流れる電流の量はさらに大きく、第１スイッチＳ１のみターンオンされた場合よりさらに速く高電位電圧ラインＶＬｍの電圧レベルが第２高電位電圧の電圧レベルに達するようになることができる。
【００４５】
従って、第１スイッチＳ１のみターンオンされた場合、第１ノードＮ１ａと連結されている高電位電圧ラインＶＬｍに第２高電位電圧ＤＤＶＤＨが印加され、高電位電圧ラインＶＬｍの電圧レベルが第１高電位電圧ＥＬＶＤＤの電圧レベルから第２高電位電圧の電圧レベルに達することとなるが、仮に、高電位電圧ラインの電圧レベルが第２高電位電圧の電圧レベルにより低くなる場合が発生しなければ、第１スイッチＳ１のみターンオンされるようにして高電位電圧ラインＶＬｍに供給される第１高電位電圧ＥＬＶＤＤを第２高電位電圧ＤＤＶＤＨに転換する転換時間を長くすることができる。しかし、高電位電圧ラインＶＬｍの電圧レベルが第２高電位電圧ＤＤＶＤＨの電圧レベルにより低くなる場合が発生し得、高電位電圧ラインＶＬｍに供給される第１高電位電圧ＥＬＶＤＤを第２高電位電圧ＤＤＶＤＨに転換する転換時間を短くするために、第１スイッチＳ１がターンオンされた状態で第２スイッチＳ２がターンオンされる時点を調節することにより、高電位電圧ラインＶＬｍに供給される第１高電位電圧ＥＬＶＤＤを第２高電位電圧ＤＤＶＤＨに転換する転換時間をより短くすることができる。これによって、高電位電圧ラインＶＬｍの電圧レベルが第２高電位電圧ＤＤＶＤＨの電圧レベルにより低くなる場合を防止することができる。また、第１スイッチＳ１に対応する抵抗の大きさを第２スイッチＳ２に対応する抵抗の大きさより大きく、入力端ＩＮから第１ノードＮ１ａに流れる電流の量の変化をより大きくすることができる。
【００４６】
図６は、図２に示された表示装置に採用されたスイッチ部の第２実施例を示す構造図である。
【００４７】
図６を参照すると、スイッチ部６００は、第１電極が第２高電位電圧ＤＤＶＤＨが入力される入力端ＩＮに連結され、第２電極が第３スイッチＴ３の第１電極とダイオードのアノード電極に連結され、ゲート電極が第１スイッチ信号ＳＷ１の伝達を受ける第１スイッチＴ１、第１スイッチＴ１と並列に連結され、第１電極が入力端ＩＮに連結され、第２電極が第３スイッチＴ３の第１電極とダイオードのアノード電極に連結され、ゲート電極が第２スイッチ信号ＳＷ２の伝達を受ける第２スイッチＴ２、第１スイッチＴ１及び第２スイッチＴ２と第１ノードＮ１ｂとの間に連結され、第１スイッチＴ１及び第２スイッチＴ２から第１ノードＮ１ｂ方向に電流が流れるようにするダイオードＤ、ダイオードＤと並列に連結され、第１電極が第１スイッチＴ１及び第２スイッチＴ２の第２電極と連結され、第２電極が第１ノードＮ１ｂに連結され、ゲート電極が第２スイッチ信号ＳＷ２の伝達を受ける第３スイッチＴ３、及び第１スイッチ信号ＳＷ１と第２スイッチ信号ＳＷ２の出力時点を調節して出力することにより、入力端ＩＮから第２ノードＮ１ａ方向に流れる電流の量を調節されるようにするロジック部６１０を含むことができる。ロジック部６１０は、制御部６３０により制御され得る。また、スイッチ部６００は、第１電極が第３スイッチの第１電極と連結され、第２電極は、低電位電圧ＶＳＳと連結されて、第１ノードＮ１ｂの電圧を選択的に放電させる第４スイッチＴ４が連結され得る。第４スイッチＴ４のゲート電極は、制御部６３０から信号の伝達を受けて第１ノードＮ１ｂの電圧を放電させることができる。
【００４８】
スイッチ部６００の動作は、ノーマルモードから低電力モードに転換されると、第１スイッチ信号ＳＷ１により第１スイッチＴ１がターンオンされ、第２スイッチＴ２、第３スイッチＴ３は、ターンオフされ得る。このとき、第４スイッチＴ４もまたターンオフされ得る。第１スイッチ信号ＳＷ１により第１スイッチＴ１がターンオンされると、入力端ＩＮから第１ノードＮ１ｂの方向に第１スイッチＴ１とダイオードＤが直列に連結される経路が形成され、形成された経路を通して電流が流れることとなる。ダイオードＤは、ノーマルモードで第１高電位電圧ＥＬＶＤＤが印加された高電位電圧ラインＶＬｍから第１スイッチＴ１方向に電流が流れることを防止することができる。そして、第１スイッチ信号ＳＷ１により第１スイッチＴ１がターンオンを維持する状態で第２スイッチ信号ＳＷ２により第２スイッチＴ２と第３スイッチＴ３がターンオンされると、入力端ＩＮから第１ノードＮ１ａの方向に二つの経路が形成され得る。各経路に流れる電流の量は、第１スイッチＴ１と第２スイッチＴ２の抵抗比により決定することができる。第１スイッチＴ１と第２スイッチＴ２の抵抗の大きさが同一であれば、二つの経路を通して流れる各電流の量は同一である。しかし、第１スイッチＴ１に比べて第２スイッチＴ２の抵抗の大きさが小さければ、第１スイッチＴ１を通して流れる電流の量が第２スイッチＴ２を通して流れる電流の量より小さい。しかし、一つの経路がさらに生じたため、第１スイッチＴ１のみターンオンされた場合より第２スイッチＴ２までターンオンされた場合に第１ノードＮ１ｂに流れる電流の量はさらに大きくなり得る。これにより、第１スイッチＴ１のみターンオンされた場合より第１スイッチＴ１と第２スイッチＴ２が共にターンオンされた場合、第１ノードＮ１ｂに流れる電流の量はさらに大きく、第１スイッチＴ１のみターンオンされた場合よりさらに速く第１ノードＮ１ｂの電圧レベルが第２高電位電圧ＤＤＶＤＨの電圧レベルに達するようになることができる。また、第１スイッチＴ１と第２スイッチＴ２が同時にターンオンされた場合、第３スイッチＴ３もまたターンオンされており、第１スイッチＴ１と第２スイッチＴ２を通して流れる電流がダイオードＤだけでなく、第３スイッチＴ３を通してさらに流れることができ、入力端ＩＮから第１ノードＮ１ｂに電流がさらに円滑に流れることができる。
【００４９】
従って、第１スイッチＴ１のみターンオンされた場合、第１ノードＮ１ｂと連結されている高電位電圧ラインＶＬｍに第２高電位電圧ＤＤＶＤＨが印加され、高電位電圧ラインＶＬｍの電圧レベルが第１高電位電圧ＥＬＶＤＤの電圧レベルから第２高電位電圧ＤＤＶＤＨの電圧レベルに達することとなるが、仮に、高電位電圧ラインＶＬｍの電圧レベルが第２高電位電圧ＤＤＶＤＨの電圧レベルにより低くなる場合が発生しなければ、第１スイッチＴ１のみターンオンされるようにして高電位電圧ラインＶＬｍに供給される第１高電位電圧ＥＬＶＤＤを第２高電位電圧ＤＤＶＤＨに転換する転換時間を長くすることができる。しかし、転換時間が多く長くなると、高電位電圧ラインＶＬｍの電圧レベルが第２高電位電圧ＤＤＶＤＨの電圧レベルにより低くなる場合が発生するようになり得る。そして、高電位電圧ラインＶＬｍに供給される前記第１高電位電圧ＥＬＶＤＤを第２高電位電圧ＤＤＶＤＨに転換する転換時間を短くするために、第１スイッチＴ１がターンオンされた状態で第２スイッチＴ２がターンオンされる時点を調節することにより、高電位電圧ラインＶＬｍに供給される第１高電位電圧ＥＬＶＤＤの電圧レベルを第２高電位電圧ＤＤＶＤＨの電圧レベルに転換する転換時間をより短くすることができる。これによって、高電位電圧ラインＶＬｍの電圧レベルが第２高電位電圧ＤＤＶＤＨの電圧レベルにより低くなる場合を防止することができる。また、第１スイッチＴ１に対応する抵抗の大きさより第２スイッチＴ２に対応する抵抗の大きさをさらに大きく、入力端ＩＮから第１ノードＮ１ｂに流れる電流の量の変化をより大きくすることができる。
【００５０】
また、第４スイッチＴ４は、第１ノードＮ１ｂと低電位電圧ＶＳＳとの間に連結され、ターンオンされると、第１ノードＮ１ｂの電圧を放電させることができる。ここで、第１スイッチ乃至第３スイッチ（Ｔ１乃至Ｔ３）は、ＰＭＯＳトランジスタと図示されており、第４スイッチＴ４は、ＮＭＯＳトランジスタと図示されているが、これに限定されるものではない。
【００５１】
図７は、図６に示されているロジック部の一実施例を示す回路図である。
【００５２】
図７を参照すると、ロジック部６１０は、入力される第１論理信号ｌｏｇｉｃ１をインバーティングして第１スイッチ信号ＳＷ１を出力するインバータ６１１、及び、入力される第１論理信号ｌｏｇｉｃ１と第２論理信号ｌｏｇｉｃ２をＮＡＮＤ演算して第２スイッチ信号ＳＷ２を出力するＮＡＮＤゲート６１２を含むことができる。
【００５３】
先ず、低電力モードに転換されると、ロジック部６１０は、「１」に対応する第１論理信号ｌｏｇｉｃ１と、「０」に対応する第２論理信号ｌｏｇｉｃ２の伝達を受けることができる。第１論理信号ｌｏｇｉｃ１と第２論理信号ｌｏｇｉｃ２のうち、インバータ６１１は、第１論理信号ｌｏｇｉｃ１をインバーティングして第１スイッチ信号ＳＷ１が「０」に対応するように出力することができる。第１スイッチ信号ＳＷ１が「０」になると、図６に示されている第１スイッチＴ１がターンオンされ得る。しかし、第２論理信号ｌｏｇｉｃ２が「０」に対応するため、ＮＡＮＤゲート６１２は、「１」に対応する第２スイッチ信号ＳＷ２が出力されるようにすることができる。これにより、図６に示されている第２スイッチＴ２と第３スイッチＴ３は、ターンオフ状態となり得る。そして、ＮＡＮＤゲート６１２が「１」に対応する第１論理信号ｌｏｇｉｃ１の伝達を受ける状態で転換時間の長さを短くする必要があると判断されると、ロジック部６１０は、「１」に対応する第２論理信号ｌｏｇｉｃ２の伝達を受けるようになり得る。ロジック部６１０が「１」に対応する第２論理信号ｌｏｇｉｃ２の伝達を受けると、ＮＡＮＤゲート６１２は、ＮＡＮＤ演算をして「０」に対応する第２スイッチ信号ＳＷ２を出力することができる。これによって、第１スイッチＴ１がターンオンされた状態で第２スイッチＴ２と第３スイッチＴ３がターンオンされ得る。
【００５４】
図８は、図６に示されているスイッチ部の動作により高電位電圧の電圧レベルが変更されることを示すタイミング図である。
【００５５】
図８を参照すると、表示装置が低電力モード状態になると、図２に示されている電源部２２０がディスエーブルされ、第１スイッチ信号ＳＷ１がハイ状態からロー状態になって第１スイッチＴ１がターンオンされる。これによって、第１ノードＮ１ｂと連結されている高電位電圧ラインＶＬｍに第１高電位電圧ＥＬＶＤＤが伝達されず、第１ノードＮ１ｂに第２高電位電圧ＤＤＶＤＨによって電流が流れることとなる。これにより、第１ノードＮ１ｂの電圧が低くなり始める。そして、第１スイッチＴ１がターンオンを維持した状態で第２スイッチ信号ＳＷ２がハイ状態からロー状態になり、第２スイッチＴ２もターンオンされる。これによって、第２高電位電圧により流れる電流の量が多くなり、第１ノードＮ１ｂの電圧が低くなる変化量がさらに大きくなる。そして、第１スイッチＴ１と第２スイッチＴ２がターンオンされ、所定の時間が経過すると、第１ノードＮ１ｂの電圧は、第２高電位電圧ＤＤＶＤＨの電圧レベルを維持できるようになる。このとき、第１スイッチＴ１の抵抗値が第２スイッチＴ２の抵抗値より大きいため、第１スイッチＴ１に流れる電流により第１ノードＮ１ｂに流れる電流の量が小さくて転換時間Ｔｔで電圧の変化を示す傾きが小さく現れるが、第１スイッチＴ１と第２スイッチＴ２が共にオンされると、第２スイッチＴ２の抵抗が第１スイッチＴ１の抵抗より小さいため、第２スイッチＴ２がターンオンされると、流れる電流の量が急激に増加し得、転換時間Ｔｔで電圧の変化を示す傾きが大きく現れ得、転換時間Ｔｔが短くなり得る。
【００５６】
そして、低電力モードからノーマルモードに動作をさせるためには、先ず、第１スイッチＴ１と第２スイッチＴ２がターンオンされた状態で第２スイッチ信号ＳＷ２をハイ状態に転換して第２スイッチＴ２がターンオフされるようにした後、第１スイッチ信号ＳＷ１をハイ状態に転換して第１スイッチＴ１もターンオフされるようにすることができる。そして、ノーマルモードに転換して電源部がイネーブルされるようにし、第１高電位電圧が電源部から出力されるようにすることができる。このとき、第１制御信号と第２制御信号がロー信号となる時点を調節して転換時間Ｔｔを可変可能にすることができる。
【００５７】
図９ａは、ノーマルモードから低電力モードに転換される転換時間の長さが０フレームに該当する時間である場合を示すグラフであり、図９ｂは、ノーマルモードから低電力モードに転換される転換時間の長さが２フレームに該当する時間である場合を示すグラフであり、図９ｃは、ノーマルモードから低電力モードに転換される転換時間の長さが４フレームに該当する時間である場合を示すグラフであり、図９ｄは、ノーマルモードから低電力モードに転換される転換時間の長さが８フレームに該当する時間である場合を示すグラフである。
【００５８】
ここで、最も上に１番目に表示されている信号は、垂直同期信号Ｖｓｙｎｃであり、２番目に表示されている信号は、高電位電圧ラインに印加される高電位電圧ラインの電圧レベルであって、ノーマルモードでは、第１高電位電圧の電圧レベルを示し、低電力モードでは、第２高電位電圧の電圧レベルを示す。また、３番目に表示されている信号は、フォトダイオードで測定した表示パネルの輝度を示す信号である。
【００５９】
図９ａを見ると、ノーマルモードから直ちに低電力モードに転換されたため、高電位電圧ラインに印加される電圧が第１高電位電圧の電圧レベルから第２高電位電圧の電圧レベルに転換されたので、フォトダイオードで測定された表示パネルの輝度が第１高電位電圧の電圧レベルから第２高電位電圧の電圧レベルに転換される時点で輝度が高くなり、ひらめきが感知されないことが分かる。これは、図９ｂ、図９ｃ及び図９ｄにも同様に第１高電位電圧の電圧レベルから第２高電位電圧の電圧レベルに転換される時点で特に高くなることが現れないことが分かる。即ち、第１高電位電圧の電圧レベルから第２高電位電圧の電圧レベルに変わる時点を遅らせても輝度が高くなってひらめきが感知されないことが分かる。従って、ノーマルモードから低電力モードに変換されるとき、輝度をゆっくり変わるようにしても、変わる途中でひらめきが現れず、より自然に表示パネルの輝度が変化するようにすることができる。
【００６０】
図１０は、図２に示された表示装置の動作を示すフローチャートである。
【００６１】
図１０を参照すると、表示装置は、ノーマルモードと低電力モードを選択的に駆動することができる。このために、表示装置の駆動方法は、表示パネルの高電位電圧ラインにノーマルモードと低電力モードによって選択的に異なる大きさの電圧を伝達することができ、ノーマルモードで第１高電位電圧を高電位電圧ラインに伝達するステップ（Ｓ１００）、及び、低電力モードで第１高電位電圧を遮断し、第２高電位電圧を高電位電圧ラインに伝達して表示パネルの高電位電圧ラインに印加される電圧を第１高電位電圧から第２高電位電圧に転換し、第１高電位電圧から第２高電位電圧に転換される転換時間の長さを調節することにより、高電位電圧ラインに印加される電圧レベルが第１高電位電圧の電圧レベルから第２高電位電圧の電圧レベルに達する時間を変更するステップ（Ｓ１１０）を含むことができる。このとき、第２高電位電圧の電圧レベルに達する時間を変更するステップ（Ｓ１１０）は、第２高電位電圧により発生するパネル駆動回路から高電位電圧ラインに流れる電流の量を調節して転換時間の長さを調節することができる。これによって、表示装置１００で表示される輝度が自然に変化し得、ノーマルモードから低電力モードに変換されるとき、非正常な映像が表示されないようにすることができる。
【００６２】
以上における説明及び添付の図面は、本発明の技術思想を例示的に示したことに過ぎないものであって、本発明の属する技術の分野における通常の知識を有する者であれば、本発明の本質的な特性から外れない範囲で構成の結合、分離、置換及び変更等の様々な修正及び変形が可能であるだろう。従って、本発明に開示された実施例は、本発明の技術思想を限定するためのものではなく、説明するためのものであり、このような実施例によって本発明の技術思想の範囲が限定されるのではない。本発明の保護範囲は、下記の請求の範囲によって解釈されるべきであり、それと同等の範囲内にある全ての技術思想は、本発明の権利範囲に含まれるものと解釈されるべきである。
【符号の説明】
【００６３】
１００：表示装置
１０１：画素
１１０：表示パネル
１２０：ゲート駆動部
１３０：データ駆動部
１４０：電源部
１５０：制御部
【図１】
2018036620.tif 000003
【図２】
2018036620.tif 000004
【図３ａ】
2018036620.tif 000005
【図３ｂ】
2018036620.tif 000006
【図４】
2018036620.tif 000007
【図５】
2018036620.tif 000008
【図６】
2018036620.tif 000009
【図７】
2018036620.tif 000010
【図８】
2018036620.tif 000011
【図９ａ】
2018036620.tif 000012
【図９ｂ】
2018036620.tif 000013
【図９ｃ】
2018036620.tif 000014
【図９ｄ】
2018036620.tif 000015
【図１０】
2018036620.tif 000016